(57)【要約】【課題】キーやマウスを用いることなくコマンドを容易に入力することができる波形測定装置を実現することを目的にする。【解決手段】本発明は、コマンドに従って被測定波形の測定を行い波形データを取得する波形測定装置に改良を加えたものである。本装置は、画像を取り込む画像入力手段と、この画像入力手段が取り込んだ画像によって、コマンドの種類を判断するコマンド判断手段とを設けたことを特徴とするものである。【選択図】                    図１
2005156216.tif 000002
【特許請求の範囲】
【請求項１】
コマンドに従って被測定波形の測定を行い波形データを取得する波形測定装置において、
画像を取り込む画像入力手段と、
この画像入力手段が取り込んだ画像によって、前記コマンドの種類を判断するコマンド判断手段と
を設けたことを特徴とする波形測定装置。
【請求項２】
認証データを記憶する認証データ記憶手段と、
前記画像入力手段が取り込んだ画像と認証データ記憶部の認証データとから、前記コマンドの正当性を認証する認証手段と
を設けたことを特徴とする請求項１記載の波形測定装置。
【請求項３】
前記画像入力手段が取り込んだ画像によって、ユーザに関するユーザ情報を取得するユーザ情報取得手段と、
このユーザ情報取得手段からのユーザ情報を前記波形データに付加する情報付加手段と
を設けたことを特徴とする請求項１または２記載の波形測定装置。
【請求項４】
ユーザ情報取得手段は、前記画像からユーザの顔画像をユーザ情報として取得することを特徴とする請求項３記載の波形測定装置。
【請求項５】
ユーザ情報を記憶するユーザ情報記憶手段を有し、
ユーザ情報取得手段は、前記画像によって、前記ユーザ情報記憶手段からユーザ情報を読み出すことを特徴とする請求項３記載の波形測定装置。
【発明の詳細な説明】
【技術分野】
【０００１】
本発明は、コマンドに従って被測定波形の測定を行い波形データを取得する波形測定装置に関し、詳しくは、キーやマウスを用いることなくコマンドを容易に入力することができる波形測定装置に関するものである。
【背景技術】
【０００２】
波形測定装置は、例えば、デジタルオシロスコープであり、被測定波形を測定してデジタル信号の波形データに変換し、波形データ記憶部であるアクイジョンメモリに格納する。そして、アクイジョンメモリに格納した波形データの解析を行うと共に、この解析結果および波形データを表示処理部を介して表示部の表示画面に波形表示するように構成されたものであり、各種分野の研究開発、品質管理、保守作業等において広く使用されている（例えば、特許文献１、特許文献２参照）。
【０００３】
図６は、従来の波形測定装置の構成を示した図である。図６において、データ取得部１は、ＡＤ変換器１ａ、アクイジョンメモリ１ｂを有し、入力される被測定波形を測定し、デジタル信号の波形データに変換する。ＡＤ変換器１ａは、被測定波形をデジタル信号に変換した波形データをアクイジョンメモリ１ｂに格納する。一般的に複数の被測定波形を同時に測定するため、データ取得部１には複数チャネル分のＡＤ変換器１ａが設けられるが、１チャネル分のみ図示している。
【０００４】
操作部２は、装置本体の操作パネルに設けられる操作キー２ａ、有線または無線によって装置本体と接続されるマウス２ｂ、有線または無線によって装置本体と接続されるリモートキー（例えば、パソコンのキーボードやリモコン）２ｃを有し、ユーザの操作に基づくコマンドを出力する。なお、リモートキー２ｃを接続するものには、ＧＰ−ＩＢ、ＲＳ−２３２Ｃ、ＵＳＢ、イーサネット（登録商標）、Ｂｌｕｅｔｏｏｔｈ等がある。
【０００５】
制御部３は、操作部２から出力されるコマンドに従って、データ取得部１に測定を行わせ、アクイジョンメモリ１ｂに格納される波形データのデータ処理を行う。
【０００６】
表示部４は、制御部３からの処理結果を表示する。プリンタ５は、制御部３からの処理結果を印刷する。ストレージ装置６は、制御部３からの処理結果を格納する。
【０００７】
続いて、図７は、図６に示す装置の前面の一例を示した構成図であり、４チャネル分の波形を表示している例を示している。図７において、装置前面の左側に表示部４の表示画面が設けられ、右側の操作パネル上に複数の操作キー２ａが設けられている。また、表示画面には、例えば、波形データの波形、解析結果、ファンクションメニュー等が表示される。
【０００８】
このような装置の動作を説明する。
ユーザが、操作部２の操作キー２ａ、マウス２ｂ、リモートキー２ｃを操作し、所望のコマンド（例えば、コマンドの種類は、測定開始、測定終了、波形データや解析結果の印刷・保存、設定条件の設定等）を入力する。具体的には、操作キー２ａを押すことにより入力される。また、マウス２ｂを用いて、表示画面に表示されるメニューから所望のコマンドが選択され入力される。さらに、リモートキー２ｃから通信コマンドが入力される。
【０００９】
そして、操作部２が、ユーザの操作に基づくコマンドを制御部３に出力する。さらに、制御部３が、操作部２から出力されるコマンドに従って、測定部１に被測定波形の測定を行わせて波形データを取得させ、波形データの解析を行い、波形データや解析結果を表示部４に表示、プリンタ５に印刷、ストレージ装置６に保存する。
【００１０】
例えば、波形データの取得を開始する場合、操作キー２ａのキー「ＳＴＡＲＴ／ＳＴＯＰ」を押す。もちろん、マウス２ｂ、リモートキー２ｃによって装置本体を遠隔操作してもよい。これにより、操作部２は、波形データの取得を開始するコマンドを制御部３に出力する。
【００１１】
そして、制御部３が、操作部２から出力されるコマンドに従って、測定部１に測定の開始を指示する。この指示により、測定部１のＡＤ変換器１ａが、被測定波形をデジタル信号に変換し、取得した波形データをアクイジョンメモリ１ｂに格納する。
【００１２】
【特許文献１】特開２００３−１８５６８１号公報（段落番号０００２−０００４、第５図）
【特許文献２】特開２００２−３１０７３６号公報（段落番号０００２−０００４）
【発明の開示】
【発明が解決しようとする課題】
【００１３】
波形測定装置は、被測定対象に図示しないプローブを接続し、操作部２の操作キー２ａで操作されコマンドが入力されることが多いが、測定を行う場所と波形測定装置とが離れていたり、被測定波形の設定を行う図示しない設定装置と波形測定装置とが離れている場合等は、マウス２ｂ、リモートキー２ｃで遠隔操作される。そして、複数のプローブを用いて複数チャネルの測定を行っていたり、設定装置を操作している場合、両手を使用することがある。
【００１４】
しかしながら、波形測定装置を操作するためには、少なくとも片方の手をプローブや設定装置から外して操作キー２ａ、マウス２ｂ、リモートキー２ｃに触れて操作しコマンドを入力しなければならず、効率よく測定を行うことができないという問題があった。
【００１５】
一方、音声認識による操作も考えられるが、声を発することにより騒がしくなり、周りのユーザに迷惑をかけてしまう。また、フットスイッチを用いた操作も考えられるが、操作キー２ａ、リモートキー２ｃのように多数のキーを設けても操作するのが困難であり、マウス２ｂのように動かして操作するのも困難である。
【００１６】
そこで本発明の目的は、キーやマウスを用いずに、コマンドを容易に入力することができる波形測定装置を実現することにある。
【課題を解決するための手段】
【００１７】
請求項１記載の発明は、
コマンドに従って被測定波形の測定を行い波形データを取得する波形測定装置において、
画像を取り込む画像入力手段と、
この画像入力手段が取り込んだ画像によって、前記コマンドの種類を判断するコマンド判断手段と
を設けたことを特徴とするものである。
【００１８】
請求項２記載の発明は、請求項１記載の発明において、
認証データを記憶する認証データ記憶手段と、
前記画像入力手段が取り込んだ画像と認証データ記憶部の認証データとから、前記コマンドの正当性を認証する認証手段と
を設けたことを特徴とするものである。
【００１９】
請求項３記載の発明は、請求項１または２記載の発明において、
前記画像入力手段が取り込んだ画像によって、ユーザに関するユーザ情報を取得するユーザ情報取得手段と、
このユーザ情報取得手段からのユーザ情報を前記波形データに付加する情報付加手段と
を設けたことを特徴とするものである。
【００２０】
請求項４記載の発明は、請求項３記載の発明において、
ユーザ情報取得手段は、前記画像からユーザの顔画像をユーザ情報として取得することを特徴とするものである。
【００２１】
請求項５記載の発明は、請求項３記載の発明において、
ユーザ情報を記憶するユーザ情報記憶手段を有し、
ユーザ情報取得手段は、前記画像によって、前記ユーザ情報記憶手段からユーザ情報を読み出すことを特徴とするものである。
【発明の効果】
【００２２】
本発明によれば、以下のような効果がある。
請求項１〜５によれば、画像入力手段が取り込んだ画像によって、コマンド判断手段がコマンドの種類を判断するので、ユーザは、操作キー、マウス、リモートキーを用いずに、コマンドを容易に入力することができる。従って、両手がふさがっていても、装置を操作しコマンドを入力することができる。
【００２３】
請求項２によれば、認証手段が、画像入力手段が取り込んだ画像と認証データ記憶部の認証データによって、コマンドの正当性を判断するので、不正な第３者によるコマンド入力を防ぐことができる。これにより、セキュリティが向上する。
【００２４】
請求項３〜５によれば、ユーザ情報取得手段が、画像入力手段が取り込んだ画像からユーザ情報を取得し、この取得したユーザ情報を情報付加手段が波形データに付加するので、波形データを取得したユーザを判断することができる。例えば、装置が複数のユーザによって使用されたとしても、自分の取得した波形データを容易に判断することができる。
【発明を実施するための最良の形態】
【００２５】
以下図面を用いて本発明の実施の形態を説明する。
［第一の実施例］
図１は本発明の第一の実施例を示す構成図である。また、図２は、図１に示す装置の前面の一例を示した構成図である。ここで、図６、図７と同一のものは同一符号を付し、説明を省略する。図１において、ＣＣＤ（Charge Coupled Device）カメラ７は、画像入力手段であり、画像を取り込む。また、ＣＣＤカメラ７は、装置前面の表示画面近傍に設けるとよい。コマンド判断手段８は、ＣＣＤカメラ７が取り込んだ画像によって、コマンドの種類を判断し、制御部３に出力する。
【００２６】
このような装置の動作を説明する。
まず、あらかじめコマンド判断手段８に設けられる図示しないコマンド記憶部に、各コマンドに対応した画像（動画または静止画の少なくとも一方）を登録しておく。例えば、右目を瞑る動作の画像は測定開始、左目を瞑る動作の画像は測定終了、人差し指を立てた画像はプリンタ５への印刷等を登録する。
【００２７】
続いて、図３は、図１に示す装置の動作を説明したフローチャートである。ユーザが、ＣＣＤカメラ７に向かって、入力するコマンドに対応した動作（例えば、右目を瞑る）を行ったり、形状（人差し指を立てる等）を作る（Ｓ１０）。
【００２８】
そして、ＣＣＤカメラ７が、動作しているユーザの画像を取り込む（Ｓ１１）。さらに、コマンド判断手段８が、ＣＣＤカメラ７からの画像から、例えば、輪郭検出や領域検出（例えば、特開平８−２１１９７９号公報（段落番号０００２））等によって、ユーザに動きのある部分や、ユーザの示す形状が存在する部分の画像を抽出する（Ｓ１２）。そして、抽出した画像と図示しないコマンド記憶部の画像とを比較し、コマンドの種類を判断する（Ｓ１３）。
【００２９】
コマンドの種類が判断できない場合、コマンド判断手段８がエラーを制御部３に出力し、制御部３が表示部４にコマンドの判断が不可能であった旨のエラーメッセージを表示する（Ｓ１４、Ｓ１５）。一方、コマンドの種類が判断できた場合、判断したコマンドを制御部３に出力し、制御部３がコマンド判断手段８から出力されるコマンドに従って、測定部１に波形データの取得、波形データの解析、波形データや解析結果を表示部４に表示、プリンタ５に印刷、ストレージ装置６に保存等を行わせる。（Ｓ１４、Ｓ１６）。
【００３０】
また、操作部２から制御部３にコマンドが出力される場合の動作は、図６に示す装置と同様なので説明を省略する。
【００３１】
このように、ＣＣＤカメラ７が取り込んだ画像によって、コマンド判断手段８がコマンドの種類を判断するので、ユーザは、操作キー２ａ、マウス２ｂ、リモートキー２ｃを用いずに、コマンドを容易に入力することができる。従って、両手がふさがっていても、装置を操作しコマンドを入力することができる。
【００３２】
また、装置本体の遠隔操作を行う場合、マウス２ｂ、リモートキー２ｃを装置本体と別に用意して、接続を行う必要があるが、ＣＣＤカメラ７が取り込んだ画像によって、コマンド判断手段８がコマンドの種類を判断するので、ユーザは、マウス２ｂ、リモートキー２ｃを装置本体と別に用意したり、マウス２ｂ、リモートキー２ｃを置く場所を確保する必要がない。特に、装置本体が危険な場所（例えば、高所）に設置されている場合、危険な場所でマウス２ｂ、リモートキー２ｃを接続する作業を行うことなく、コマンドを容易に入力することができる。
【００３３】
［第二の実施例］
図４は本発明の第二の実施例を示す構成図である。ここで、図１と同一のものは同一符号を付し、説明を省略すると共に、図示も省略する。図４において、認証データ記憶手段９が新たに設けられ、認証を行う画像が認証データとして記憶される。また、認証手段１０が、新たに設けられ、ＣＣＤカメラ７が取り込んだ画像と認証データ記憶部１０の認証データとから、操作部２またはコマンド判断手段８からのコマンドの正当性を認証し、その認証結果によってコマンドを制御部３に出力する。
【００３４】
このような装置の動作を説明する。
まず、あらかじめ認証データ記憶手段９に、認証を行うための画像を認証データとして登録しておく。例えば、装置を操作することが正式に許可されたユーザの顔画像、社員証、許可証等を登録する。
【００３５】
そして、ユーザが、操作部２を操作してコマンドを入力する前や、ＣＣＤカメラ７に向かって入力するコマンドに対応した動作を行う前に、ＣＣＤカメラ７に認証を行う画像（ユーザの顔画像、社員証や許可証の画像等）を取り込ませる。これにより、認証手段１０が、ＣＣＤカメラ７からの画像から、例えば、輪郭検出や領域検出等によって、認証を行う部分の画像を抽出する。また、認証データ記憶手段９から認証データを読み出し、抽出した画像が認証データ中に存在するか確認する。そして、存在すれば、コマンド判断手段８、操作部２から出力されるコマンドは正当であると認証し、制御部３に出力する。一方、抽出した画像が認証データ中に存在しなければ、コマンド判断手段８、操作部２から出力されるコマンドは不当であると認証し、コマンドを制御部３に出力しない。
【００３６】
なお認証手段１０が、ＣＣＤカメラ７の画像と認証データ記憶部９の認証データによって、コマンド判断手段８、操作部２からのコマンドの正当性を判断し、正当ならば制御部３にコマンドを出力する以外の動作は、図１に示す装置と同様なので説明を省略する。
【００３７】
このように、認証手段１０が、ＣＣＤカメラ７の画像と認証データ記憶部９の認証データによって、コマンド判断手段８、操作部２からのコマンドの正当性を判断する。そして、正当と認証すると制御部３にコマンドを出力するので、不正な第３者によるコマンド入力を防ぐことができる。これにより、セキュリティが向上する。
【００３８】
［第三の実施例］
図５は本発明の第三の実施例を示す構成図である。ここで、図４と同一のものは同一符号を付し、説明を省略すると共に、図示も省略する。図５において、ユーザ情報取得手段１１が新たに設けられ、ＣＣＤカメラ７が取り込んだ画像によって、ユーザに関するユーザ情報を取得し、制御部３に出力する。また、制御部３に情報付加手段３ａが設けられ、ユーザ情報取得手段１１からのユーザ情報を波形データに付加する。
【００３９】
このような装置の動作を説明する。
ユーザ情報取得手段１１が、ＣＣＤカメラ７からの画像から、例えば、輪郭検出や領域検出等によって、ユーザ情報の画像を抽出する。例えば、顔画像、社員証、許可証等の画像を抽出し、取得する。そして、取得したユーザ情報を制御部３に出力する。
【００４０】
そして、制御部３の情報付加手段３ａが、認証手段１０からのコマンドに従って取得した波形データにユーザ情報を付加する。さらに、制御部３が、波形データや波形データの解析結果と共に付加されたユーザ情報を表示部４に表示、プリンタ５に印刷、ストレージ装置６に格納する。
また、上記に示す動作以外は、図４に示す装置と同様なので説明を省略する。
【００４１】
このように、ユーザ情報取得手段１１が、ＣＣＤカメラ７の画像からユーザ情報を取得し、この取得したユーザ情報を情報付加手段３ａが波形データに付加するので、波形データを取得したユーザを判断することができる。例えば、装置が複数のユーザによって使用されたとしても、自分の取得した波形データおよびこの波形データに基づく解析結果等を容易に判断することができる。
【００４２】
なお、本発明はこれに限定されるものではなく、以下のようなものでもよい。
図１、図４、図５に示す装置において、ユーザの動きや形状をＣＣＤカメラ７が画像として取り込み、コマンド判断手段８が画像からユーザの動きや形状を抽出してコマンドの種類を判断する構成を示したが、物の動きを画像として取り込み、物の動きからコマンドの種類を判断してもよい。例えば、エンジンを制御する電子回路で、エンジンが始動する時の電子回路の波形データを取得する場合、エンジンのシリンダーが動き出したら、コマンド判断手段８が、トリガをかけて波形データの取得を開始するコマンドを出力するとよい。
【００４３】
また、図１、図４、図５に示す装置において、ＣＣＤカメラ７を装置の前面に設ける構成を示したが、装置のどこに設けてよい。また、有線または無線によって装置とＣＣＤカメラを接続し、ＣＣＤカメラ７を装置の外部に設けたもよい。
【００４４】
また、図４、図５に示す装置において、ユーザが操作部２を操作してコマンドを入力する前や、ＣＣＤカメラ７に向かって入力するコマンドに対応した動作を行う前に、ＣＣＤカメラ７に認証を行う画像を取り込ませる構成を示したが、ＣＣＤカメラ７に向かってコマンドに対応した動作を行って画像を取り込ませるごとに、認証を行う画像も取り込ませてもよい。
【００４５】
また、図５に示す装置において、認証データ記憶手段９、認証手段１０を設ける構成を示したが、認証データ記憶手段９、認証手段１０を設けず、操作部２、コマンド判断手段８からのコマンドを制御部３に出力してもよい。
【００４６】
さらに、図５に示す装置において、ユーザ情報取得手段１１が、ＣＣＤカメラ７からの画像から、ユーザ情報の画像を抽出する構成を示したが、ユーザ情報を記憶するユーザ情報記憶手段を設けてもよい。そして、ユーザ情報として、あらかじめユーザの顔画像、社員証、許可証等を格納しておくとよい。そして、ユーザ情報取得手段１１が、ＣＣＤカメラ７の画像から顔画像以外の社員証、許可証等の画像を抽出した場合、抽出した画像の社員証、許可証等に対応するユーザの顔画像をユーザ情報記憶手段から読み出し、読み出した顔画像を制御部３に出力してもよい。
【図面の簡単な説明】
【００４７】
【図１】本発明の第一の実施例を示した構成図である。
【図２】図１に示す波形測定装置の前面の一例を示した構成図である。
【図３】図３は、図１に示す装置の動作を説明したフローチャートである。
【図４】本発明の第二の実施例を示した構成図である。
【図５】本発明の第三の実施例を示した構成図である。
【図６】従来の波形測定装置の構成図である。
【図７】図６に示す波形測定装置の前面の一例を示した構成図である。
【符号の説明】
【００４８】
３ａ  情報付加手段
７  ＣＣＤカメラ（画像入力手段）
８  コマンド判断手段
９  認証データ記憶手段
１０  認証手段
１１  ユーザ情報取得手段
【図１】
2005156216.tif 000003
【図２】
2005156216.tif 000004
【図３】
2005156216.tif 000005
【図４】
2005156216.tif 000006
【図５】
2005156216.tif 000007
【図６】
2005156216.tif 000008
【図７】
2005156216.tif 000009